(57)【要約】      （修正有）【課題】ぶどう棚構造に対して四角筒形状の野縁（即ち、四角筒形状の部材）を容易且つ作業性良く直接取付けることができるようにした天井下地構造を提供する。【解決手段】所定間隔で平行に並ぶ多数の中空な金属製角形筒１，１・・と該金属製角形筒１，１・・に直交して所定間隔で平行に並ぶ多数の金属製部材２，２・・とからなり、前記金属製角形筒１，１・・あるいは前記金属製部材２，２・・を吊りボルト３, ３・・を用いて建物の構造物から吊り下げるように構成された天井下地構造において、前記第１の金属製角形筒１，１・・あるいは前記第２の金属製角形筒２，２・・のうちの下側に位置するものにおける下面側には、両者を結合するための止着子の取付作業を行うための作業用開口８を形成し、止着子を取り付けることができるようにすることにより、第１の金属製角形筒１と第２の金属製角形筒２とを直接強固に結合させることが可能となる。【選択図】図４
2013068066.tif 000002
【特許請求の範囲】
【請求項１】
所定間隔で平行に並ぶ多数の中空な第１の金属製角形筒（１），（１）・・と該第１の金属製角形筒（１），（１）・・に直交して所定間隔で平行に並ぶ多数の第２の金属製角形筒（２），（２）・・とからなり、前記第１の金属製角形筒（１），（１）・・あるいは前記第２の金属製角形筒（２），（２）・・を吊りボルト（３）,（３）・・を用いて建物の構造物（２６）から吊り下げるように構成された天井下地構造であって、前記第１の金属製角形筒（１），（１）・・あるいは前記第２の金属製角形筒（２），（２）・・のうちの下側に位置するものにおける下面側には、両者を結合するための止着子７の取付作業を行うための作業用開口（８）を形成したことを特徴とする天井下地構造。
【請求項２】
所定間隔で平行に並ぶ多数の中空な第１の金属製角形筒（１），（１）・・と該第１の金属製角形筒（１），（１）・・に直交して所定間隔で平行に並ぶ多数の第２の金属製角形筒（２），（２）・・とからなり、前記第１の金属製角形筒（１），（１）・・あるいは前記第２の金属製角形筒（２），（２）・・を吊りボルト（３）,（３）・・を用いて建物の構造物（２６）から吊り下げるように構成された天井下地構造であって、前記第１の金属製角形筒（１），（１）・・あるいは前記第２の金属製角形筒（２），（２）・・のうちの下側に位置するものにおける下面側に、両者を結合するための止着子（７）の取付作業を行うための作業用凹溝（９）を形成したことを特徴とする天井下地構造。
【請求項３】
前記第１の金属製角形筒（１），（１）・・あるいは前記第２の金属製角形筒（２），（２）・・のうちの選ばれたものと前記吊りボルト（３），（３）・・のうちの選ばれたものの上端部とを、中空な金属製角形筒からなる斜め補強部材（２０）で連結したことを特徴とする請求項１および２のいずれか一項記載の天井下地構造。
【請求項４】
前記第１の金属製角形筒（１），（１）・・あるいは前記第２の金属製角形筒（２），（２）・・のうちの選ばれたものと前記建物の構造物（２６）とを、中空な金属製角形筒からなる斜め補強部材（２０）で連結したことを特徴とする請求項１および２のいずれか一項記載の天井下地構造。
【請求項５】
所定間隔で平行に並ぶ多数の中空な金属製角形筒（１），（１）・・と該金属製角形筒（１），（１）・・に直交して所定間隔で平行に並ぶ多数の金属製部材（２），（２）・・とからなり、前記金属製角形筒（１），（１）・・あるいは前記金属製部材（２），（２）・・を吊りボルト（３）,（３）・・を用いて建物の構造物（２６）から吊り下げるように構成された天井下地構造において、前記各金属製部材（２）を、断面Ｕ字状部材で構成し且つその開口縁における長手方向両端に、前記金属製角形筒（１），（１）・・に結合するための止着子（７），（７）の取付作業を行うための作業用リブ（１５），（１５）を外向きに一体に形成したことを特徴とする天井下地構造。
【発明の詳細な説明】
【技術分野】
【０００１】
本願発明は、天井下地構造に関し、さらに詳しくはぶどう棚構造の天井下地構造に関するものである。
【背景技術】
【０００２】
従来型の天井下地構造としては、野縁と該野縁と直交する野縁受けとからなり、建物の構造体から吊りボルトで吊り下げて支持されたものがある(例えば、特許文献１参照) 。
【先行技術文献】
【特許文献】
【０００３】
【特許文献１】特開２００８−５０７８４号公報
【発明の概要】
【発明が解決しようとする課題】
【０００４】
ところで、上記特許文献１に開示されている天井下地構造の場合、野縁に対して天井仕上げボードが専用のビスで取り付けられることとなっている。ところで、野縁と該野縁と直交する野縁受けとを直接結合する必要があるが、野縁と野縁受けとの両方を四角筒形状とした場合、野縁と野縁受けとを結合する構造が重要となる。
【０００５】
例えば、四角筒形状の野縁と野縁受けとをビスを用いて結合する場合、四角筒において天井仕上げボードを取り付ける面と野縁受けを取り付ける面との間の距離が長くなるところから、取付用ビスとして長めのものが必要となるとともに、取付用ビスの取付作業も複雑なものとなるおそれがある。また、取付用ビスの頭が露出することとなるところから、野縁に天井仕上げボードを取付ける際の邪魔になるおそれもある。
【０００６】
一方、水平に並ぶ野縁受けにより構成されるぶどう棚の下に従来型の天井下地を組みつける方法とすることも考えられるが、その場合、ぶどう棚の下に天井下地を吊り下げるためには、取付クリップあるいはハンガーを介する必要が生じるところから、コスト的に不利となるとともに工期も長くなってしまうおそれがある。
【０００７】
本願発明は、上記のような課題を解決するために行われたものであり、ぶどう棚構造に対して野縁を容易且つ作業性良く直接取付けることができるようにした天井下地構造を提供することを目的としてなされたものである。
【課題を解決するための手段】
【０００８】
本願発明では、上記課題を解決するための第１の手段として、所定間隔で平行に並ぶ多数の中空な第１の金属製角形筒１，１・・と該金属製角形筒１，１・・に直交して所定間隔で平行に並ぶ多数の第２の金属製角形筒２，２・・とからなり、前記第１の金属製角形筒１，１・・あるいは前記第２の金属製角形筒２，２・・を吊りボルト３, ３・・を用いて建物の構造物２６から吊り下げるように構成された天井下地構造において、前記第１の金属製角形筒１，１・・あるいは前記第２の金属製角形筒２，２・・のうちの下側に位置するものにおける下面側に、両者を結合するための止着子７の取付作業を行うための作業用開口８を形成している。
【０００９】
上記のように構成したことにより、第１の金属製角形筒１，１・・と第２の金属製角形筒２，２・・とを結合するに際して、作業用開口８を介して止着子７を取り付けることができることとなり、第１の金属製角形筒１と第２の金属製角形筒２とを直接強固に結合させることが可能となる。また、第１の金属製角形筒１，１・・あるいは第２の金属製角形筒２，２・・のうちの下側に位置するものにおける下面側には、天井仕上げボードが取り付けられることとなるが、その際、第１の金属製角形筒１，１・・あるいは第２の金属製角形筒２，２・・のうちの下側に位置するものにおける下面側に止着子７の頭が露出することがなくなるところから、天井仕上げボードの取付作業性が良好となる。
【００１０】
本願発明では、上記課題を解決するための第２の手段として、所定間隔で平行に並ぶ多数の中空な第１の金属製角形筒１，１・・と該金属製角形筒１，１・・に直交して所定間隔で平行に並ぶ多数の第２の金属製角形筒２，２・・とからなり、前記第１の金属製角形筒１，１・・あるいは前記第２の金属製角形筒２，２・・を吊りボルト３, ３・・を用いて建物の構造物２６から吊り下げるように構成された天井下地構造において、前記第１の金属製角形筒１，１・・あるいは前記第２の金属製角形筒２，２・・のうちの下側に位置するものにおける下面側に、両者を結合するための止着子７の取付作業を行うための作業用凹溝９を形成している。
【００１１】
上記のように構成したことにより、第１の金属製角形筒１，１・・と第２の金属製角形筒２，２・・とを結合するに際して、作業用凹溝９を介して止着子７を取り付けることができることとなり、作業性凹溝９の凹み分だけ、止着子７の長さを短かくできる。しかも、作業用凹溝９を介して止着子７を取り付けることが可能となるので、第１の金属製角形筒１，１・・と第２の金属製角形筒２，２・・との直交部分にずれが生じたとしても、止着子７の取付位置を対応させることが可能となり、作業性が良好となる。また、第１の金属製角形筒１，１・・あるいは第２の金属製角形筒２，２・・のうちの下側に位置するものにおける下面側には、天井仕上げボードが取り付けられることとなるが、その際、第１の金属製角形筒１，１・・あるいは第２の金属製角形筒２，２・・のうちの下側に位置するものにおける下面側に止着子７の頭が露出することがなくなるところから、天井仕上げボードの取付作業性が良好となる。
【００１２】
本願発明では、さらに、上記課題を解決するための第３の手段として、上記第１又は第２の手段を備えた天井下地構造において、前記第１の金属製角形筒１，１・・あるいは前記第２の金属製角形筒２，２・・のうちの選ばれたものと前記吊りボルト３，３・・のうちの選ばれたものの上端部とを、中空な金属製角形筒からなる斜め補強部材２０で連結することもでき、そのように構成した場合、第１の金属製角形筒１，１・・あるいは第２の金属製角形筒２，２・・のうちの選ばれたものと吊りボルト３の上端部とが、中空な金属製角形筒からなる斜め補強部材２０で連結されることにより、第１の金属製角形筒１，１・・あるいは第２の金属製角形筒２，２・・の上を作業員が安心して歩くことができるとともに、斜め補強部材２０を、捩れおよび上下左右方向に対する強度を有する中空な金属製角形筒で構成したことにより、地震時における激震に耐え得る耐震性能に優れた天井下地構造となる。
【００１３】
本願発明では、さらに、上記課題を解決するための第４の手段として、上記第１又は第２の手段を備えた天井下地構造において、前記第１の金属製角形筒１，１・・あるいは前記第２の金属製角形筒２，２・・のうちの選ばれたものと前記建物の構造物２６とを、中空な金属製角形筒からなる斜め補強部材２０で連結することもでき、そのように構成した場合、第１の金属製角形筒１，１・・あるいは第２の金属製角形筒２，２・・のうちの選ばれたものと建物の構造物２６とが、中空な金属製角形筒からなる斜め補強部材２０で連結されることにより、第１の金属製角形筒１，１・・あるいは第２の金属製角形筒２，２・・の上を作業員が安心して歩くことができるとともに、斜め補強部材２０を、捩れおよび上下左右方向に対する強度を有する中空な金属製角形筒で構成したことにより、地震時における激震に耐え得る耐震性能に優れた天井下地構造となる。
【００１４】
本願発明では、上記課題を解決するための第５の手段として、所定間隔で平行に並ぶ多数の中空な金属製角形筒１，１・・と該金属製角形筒１，１・・に直交して所定間隔で平行に並ぶ多数の金属製部材２，２・・とからなり、前記金属製角形筒１，１・・あるいは前記金属製部材２，２・・を吊りボルト３, ３・・を用いて建物の構造物２６から吊り下げるように構成された天井下地構造において、前記各金属製部材２を、断面Ｕ字状部材で構成し且つその開口縁における長手方向両端に、前記金属製角形筒１，１・・に結合するための止着子７の取付作業を行うための作業用リブ１５，１５を外向きに一体に形成している。
【００１５】
上記のように構成したことにより、金属製角形筒１，１・・と金属製部材２，２・・とを結合するに際して、作業用リブ１５，１５を介して止着子７を取り付けることができることとなり、止着子７の長さを短かくできる。しかも、作業用リブ１５を介して止着子７を取り付けることが可能となるので、金属製角形筒１，１・・と金属製部材２，２・・との直交部分にずれが生じたとしても、止着子７の取付位置を対応させることが可能となり、作業性が良好となる。また、金属製角形筒１，１・・あるいは金属製部材２，２・・のうちの下側に位置するものにおける下面側には、天井仕上げボードが取り付けられることとなるが、その際、金属製角形筒１，１・・あるいは金属製部材２，２・・のうちの下側に位置するものにおける天井仕上げボード取付面側に止着子７の頭が露出することがなくなるところから、天井仕上げボードの取付作業性が良好となる。
【発明の効果】
【００１６】
本願発明の第１の手段によれば、所定間隔で平行に並ぶ多数の中空な金属製角形筒１，１・・と該金属製角形筒１，１・・に直交して所定間隔で平行に並ぶ多数の金属製部材２，２・・とからなり、前記金属製角形筒１，１・・あるいは前記金属製部材２，２・・を吊りボルト３, ３・・を用いて建物の構造物２６から吊り下げるように構成された天井下地構造において、前記第１の金属製角形筒１，１・・あるいは前記第２の金属製角形筒２，２・・のうちの下側に位置するものにおける下面側には、両者を結合するための止着子７の取付作業を行うための作業用開口８を形成して、第１の金属製角形筒１，１・・と第２の金属製角形筒２，２・・とを結合するに際して、作業用開口８を介して止着子７を取り付けることができるようにしたので、第１の金属製角形筒１と第２の金属製角形筒２とを直接強固に結合させることが可能となるという効果がある。また、第１の金属製角形筒１，１・・あるいは前記第２の金属製角形筒２，２・・のうちの下側に位置するものにおける下面側には、天井仕上げボードが取り付けられることとなるが、その際、第１の金属製角形筒１，１・・あるいは前記第２の金属製角形筒２，２・・のうちの下側に位置するものにおける下面側に止着子７の頭が露出することがなくなるところから、天井仕上げボードの取付作業性が良好となるという効果もある。
【００１７】
本願発明の第２の手段によれば、所定間隔で平行に並ぶ多数の中空な第１の金属製角形筒１，１・・と該金属製角形筒１，１・・に直交して所定間隔で平行に並ぶ多数の第２の金属製角形筒２，２・・とからなり、前記第１の金属製角形筒１，１・・あるいは前記第２の金属製角形筒２，２・・を吊りボルト３, ３・・を用いて建物の構造物２６から吊り下げるように構成された天井下地構造において、前記第１の金属製角形筒１，１・・あるいは前記第２の金属製角形筒２，２・・のうちの下側に位置するものにおける下面側には、両者を結合するための止着子７の取付作業を行うための作業用凹溝９を形成して、第１の金属製角形筒１，１・・と第２の金属製角形筒２，２・・とを結合するに際して、作業用凹溝９を介して止着子７を取り付けることができるようにしたので、作業性凹溝９の凹み分だけ、止着子７の長さを短かくできるという効果がある。しかも、作業用凹溝９を介して止着子７を取り付けることが可能となるので、第１の金属製角形筒１，１・・と第２の金属製角形筒２，２・・との直交部分にずれが生じたとしても、止着子７の取付位置を対応させることが可能となり、作業性が良好となるという効果もある。また、第１の金属製角形筒１，１・・あるいは前記第２の金属製角形筒２，２・・のうちの下側に位置するものにおける下面側には、天井仕上げボードが取り付けられることとなるが、その際、第１の金属製角形筒１，１・・あるいは前記第２の金属製角形筒２，２・・のうちの下側に位置するものにおける下面側に止着子７の頭が露出することがなくなるところから、天井仕上げボードの取付作業性が良好となるという効果もある。
【００１８】
本願発明の第３の手段におけるように、上記第１又は第２の手段を備えた天井下地構造において、前記第１の金属製角形筒１，１・・あるいは前記第２の金属製角形筒２，２・・のうちの選ばれたものと前記吊りボルト３，３・・のうちの選ばれたものの上端部とを、中空な金属製角形筒からなる斜め補強部材２０で連結するようにした場合、第１の金属製角形筒１，１・・あるいは第２の金属製角形筒２，２・・のうちの選ばれたものと吊りボルト３の上端部とが、中空な金属製角形筒からなる斜め補強部材２０で連結されることにより、第１の金属製角形筒１，１・・あるいは第２の金属製角形筒２，２・・の上を作業員が安心して歩くことができるとともに、斜め補強部材２０を、捩れおよび上下左右方向に対する強度を有する中空な金属製角形筒で構成したことにより、地震時における激震に耐え得る耐震性能に優れた天井下地構造となる。
【００１９】
本願発明の第４の手段におけるように、上記第１又は第２の手段を備えた天井下地構造において、前記第１の金属製角形筒１，１・・あるいは前記第２の金属製角形筒２，２・・のうちの選ばれたものと前記建物の構造物２６とを、中空な金属製角形筒からなる斜め補強部材２０で連結するようにした場合、第１の金属製角形筒１，１・・あるいは第２の金属製角形筒２，２・・のうちの選ばれたものと建物の構造物２６とが、中空な金属製角形筒からなる斜め補強部材２０で連結されることにより、第１の金属製角形筒１，１・・あるいは第２の金属製角形筒２，２・・の上を作業員が安心して歩くことができるとともに、斜め補強部材２０を、捩れおよび上下左右方向に対する強度を有する中空な金属製角形筒で構成したことにより、地震時における激震に耐え得る耐震性能に優れた天井下地構造となる。
【００２０】
本願発明の第５の手段によれば、所定間隔で平行に並ぶ多数の中空な金属製角形筒１，１・・と該金属製角形筒１，１・・に直交して所定間隔で平行に並ぶ多数の金属製部材２，２・・とからなり、前記金属製角形筒１，１・・あるいは前記金属製部材２，２・・を吊りボルト３, ３・・を用いて建物の構造物２６から吊り下げるように構成された天井下地構造において、前記各金属製部材２を、断面Ｕ字状部材で構成し且つその開口縁における長手方向両端に、前記金属製角形筒１，１・・に結合するための止着子７の取付作業を行うための作業用リブ１５，１５を外向きに一体に形成して、金属製角形筒１，１・・と金属製部材２，２・・とを結合するに際して、作業用リブ１５を介して止着子７を取り付けることができるようにしたので、止着子７の長さを短かくできるという効果がある。しかも、作業用リブ１５を介して止着子７を取り付けることが可能となるので、金属製角形筒１，１・・と金属製部材２，２・・との直交部分にずれが生じたとしても、止着子７の取付位置を対応させることが可能となり、作業性が良好となるという効果もある。また、金属製角形筒１，１・・あるいは金属製部材２，２・・のうちの下側に位置するものにおける下面側には、天井仕上げボードが取り付けられることとなるが、その際、金属製角形筒１，１・・あるいは金属製部材２，２・・のうちの下側に位置するものにおける天井仕上げボード取付面側に止着子７の頭が露出することがなくなるところから、天井仕上げボードの取付作業性が良好となるという効果もある。
【図面の簡単な説明】
【００２１】
【図１】本願発明の第１の実施の形態にかかる天井下地構造を示す全体斜視図である。
【図２】図１に示す天井下地構造における斜め補強部材の取付状態を示す拡大斜視図である。
【図３】本願発明の第１の実施の形態にかかる天井下地構造における第１の金属製角形筒、第２の金属製角形筒および斜め補強部材を構成する金属製角形筒の構造を示す拡大斜視図である。
【図４】本願発明の第１の実施の形態にかかる天井下地構造を下側から見た斜視図である。
【図５】図４のＡ1矢視拡大図である。
【図６】図４のＡ２矢視拡大図である。
【図７】本願発明の第２の実施の形態にかかる天井下地構造を下側から見た斜視図である。
【図８】図７のＢ矢視拡大図である。
【図９】本願発明の第２の実施の形態にかかる天井下地構造の変形例１における図８相当図である。
【図１０】本願発明の第２の実施の形態にかかる天井下地構造の変形例２における図８相当図である。
【図１１】本願発明の第３の実施の形態にかかる天井下地構造における斜め補強部材の上部取付状態を示す拡大斜視図である。
【図１２】本願発明の第４の実施の形態にかかる天井下地構造における金属製部材を示す斜視図である。
【図１３】（イ）は本願発明の第４の実施の形態にかかる天井下地構造における金属製角形筒と金属製部材との交差部を示す拡大断面図、（ロ）は変形例を示す拡大断面図である。
【発明を実施するための形態】
【００２２】
以下、添付の図面を参照して、本願発明の幾つかの実施の形態について説明する。
【００２３】
第１の実施の形態
図１ないし図６には、本願発明の第１の実施の形態にかかる天井下地構造が示されている。
【００２４】
この天井下地構造は、図１に示すように、所定間隔で平行に並ぶ多数の中空な第１の金属製角形筒１，１・・と該第１の金属製角形筒１，１・・の下側において該第１の金属製角形筒１，１・・に直交して所定間隔で平行に並ぶ多数の中空な第２の金属製角形筒２，２・・とからなり、前記第１の金属製角形筒１，１・・のうちの選ばれたものを吊りボルト３, ３・・を用いて建物の構造物から吊り下げるように構成されている。そして、前記第１の金属製角形筒１，１・・のうちの選ばれたものと前記吊りボルト３，３・・のうちの選ばれたものの上端部とは、中空な金属製角形筒からなる斜め補強部材２０で連結されている。また、前記第１の金属製角形筒１，１・・には、該第１の金属製角形筒１，１・・形成した嵌挿穴１１，１１・・（図２参照）に対して直交する多数のチャンネル６，６・・が挿通されている。符号４は前記第１の金属製角形筒１，１・・の端部を支持する断面コ字状の支持部材、５は前記第２の金属製角形筒２，２・・の下面に取り付けられた天井板である。
【００２５】
そして、前記各第１の金属製角形筒１、前記各第２の金属製角形筒２および前記各斜め補強部材２０は、図３に示すように、所定の幅に切断された金属板をその両端がコーナの一点において接するように四角筒状に折曲して構成された中空な金属板四角筒によって構成されている。前記金属板の一方の端部には、前記金属板角形筒の内側に折曲され、さらにその先端部が外側に向かって折曲されてなる逆Ｊ字状折曲部ａ が設けられ、前記金属板の他方の端部には、内側に逆Ｕ字状折曲部ｂが設けられており、両者を連続して嵌合圧着せしめて水平方向に連続するコーナ型接続部ｃとして成形されている。そして、該コーナ型接続部ｃにおける逆Ｕ宇状折曲部ｂの基端から内側に向かってコの字状に突出するリブｄが水平方向に連続して形成されている。このように構成したことにより、金属製角形筒のいずれの四面を、開口形成部およびボード貼付面として選択することが可能となる。また、コーナ型接続部ｃの外れをリブｄにより防止できるとともに金属製角形筒の剛性強化も図れる。
【００２６】
前記各第１の金属製角形筒１には、図２に示すように、前記チャンネル６が挿通された嵌挿穴１１に連続する開口１２が形成されており、該開口１２の口縁には、前記チャンネル６に近接される固定片１３が取り付けられている。このように構成したことにより、固定片１３を取り付けることにより、第１の金属製角形筒１へのチャンネル６の組付が容易且つ確実に行うことができる.
本実施の形態においては、図１および図２に示すように、前記第１の金属製角形筒１，１・・のうちの選ばれたものと前記吊りボルト３，３・・のうちの選ばれたものの上端部とは、中空な金属製角形筒からなる斜め補強部材２０で連結されている。
【００２７】
前記吊りボルト３の下端部は、図２に示すように、支持金具２５を介して前記第１の金属製角形筒１に支持されている。該支持金具２５は、前記吊りボルト３の下端に対して螺着された下向きコ字状の上部支持金具２５ａと、前記第１の金属製角形筒１を抱持した状態でビス止めされた上向きコ字状の下部支持金具２５ｂとからなっており、該下部支持金具２５ｂの上端部と前記上部支持金具２５ａの下端部とはボルト２５ｃで結合されている。一方、前記吊りボルト３の上端部は、図２に示すように、建物の構造物であるＨ型鋼２６の下部水平片２６ａに取り付けられた箱型の結合金具２３に螺着されている。該結合金具２３は、断面直方体形状の筒体からなっており、その一端側には、前記Ｈ型鋼２６の下部水平片２６ａが挿入される切欠開口２３ａが形成されていて、該切欠開口２３ａに挿入された下部水平片２６ａを前記結合金具２３の下面側から螺着された締付ボルト２３ｂで締め付けることにより取り付けられることとなっている。このようにすると、吊りボルト３による第１の金属製角形筒１を吊り下げる力が強固となり、地震発生時における耐振性を確保することができる。
【００２８】
前記斜め補強部材２０の下端部と前記第１の金属製角形筒１との間には、図２に示すように、該斜め補強部材２０の下端部における相対向する二面を抱持した状態でビス２１ｂ，２１ｂ・・で取り付けられる一対の抱持片２１ａ，２１ａ備えた取付手段２１Ａと前記金属製角形筒１に対して結合される結合手段２１Ｂとを備えた下部固定金具２１が介設されている。この場合、前記取付手段２１Ａは、前記抱持片２１ａ，２１ａと該抱持片２１ａ，２１ａの下端間を一体に連結する連結片２１ｃにより一体に連結される一方、前記結合手段２１Ｂは、前記金属製角形筒１おける相対向する二面を抱持した状態でビス２１ｄ，２１ｄ・・で取り付けられる一対の抱持片２１ｅ，２１ｅと該抱持片２１ｅ，２１ｅの上端間を一体に連結する連結片２１ｆとからなっており、前記連結片２１ｃと前記連結片２１ｆとはボルト２１ｇで結合されている。このようにすると、斜め補強部材２０の下端部と金属製角形筒１との結合強度が大幅に強化されることとなり、取付が簡単になるとともに、より一層耐震性能に優れたものとなる。
【００２９】
ところで、本実施の形態においては、前記第１の金属製角形筒１，１・・と前記第２の金属製角形筒２，２・・とは、第２の金属製角形筒２，２・・の下面側から止着子（例えば、ビス）７を用いて直接結合されることとなっている。そこで、本実施の形態においては、図４〜図６に示すように、前記第１の金属製角形筒１，１・・あるいは前記第２の金属製角形筒２，２・・のうちの下側に位置するもの（本実施の形態の場合、第２の金属製角形筒２，２・・）おける下面側には、両者を結合するための止着子７の取付作業を行うための作業用開口８が形成されている。このように構成したことにより、第１の金属製角形筒１，１・・と第２の金属製角形筒２，２・・とを結合するに際して、作業用開口８を介して止着子７を取り付けることができることとなり、第１の金属製角形筒１と第２の金属製角形筒２とを直接強固に結合させることが可能となる。また、第１の金属製角形筒１，１・・あるいは前記第２の金属製角形筒２，２・・のうちの下側に位置するもの（本実施の形態の場合、第２の金属製角形筒２，２・・）における下面側には、天井仕上げボード５が取り付けられることとなるが、その際、第２の金属製角形筒２，２・・における下面側に止着子７の頭が露出することがなくなるところから、天井仕上げボード５の取付作業性が良好となる。
【００３０】
第２の実施の形態
図７〜図９には、本願発明の第２の実施の形態にかかる天井下地構造が示されている。
【００３１】
この天井下地構造は、前述した第１の実施の形態にかかる天井下地構造と同一の構造となっている。
【００３２】
ところで、本実施の形態においては、前記第１の金属製角形筒１，１・・あるいは前記第２の金属製角形筒２，２・・のうちの下側に位置するもの（本実施の形態の場合、第２の金属製角形筒２，２・・）おける下面側には、両者を結合するための止着子７の取付作業を行うための断面コ字状の作業用凹溝９が第２の金属製角形筒２の全長にまたがって形成されている。このように構成したことにより、第１の金属製角形筒１，１・・と第２の金属製角形筒２，２・・とを結合するに際して、作業用凹溝９を介して止着子７を取り付けることができることとなり、作業性凹溝９の凹み分だけ、止着子７の長さを短かくできる。しかも、作業用凹溝９を介して止着子７を取り付けることが可能となるので、第１の金属製角形筒１，１・・と第２の金属製角形筒２，２・・との直交部分にずれが生じたとしても、止着子７の取付位置を対応させることが可能となり、作業性が良好となる。また、第１の金属製角形筒１，１・・あるいは前記第２の金属製角形筒２，２・・のうちの下側に位置するもの（本実施の形態の場合、第２の金属製角形筒２，２・・）における下面側には、天井仕上げボード５が取り付けられることとなるが、その際、第２の金属製角形筒２，２・・における下面側に止着子７の頭が露出することがなくなるところから、天井仕上げボード５の取付作業性が良好となる。
【００３３】
ところで、前記作業用凹溝９の変形例１として、図９に示すように、断面台形形状のものを採用することもできる。
【００３４】
また、第２の金属製角形筒２の変形例２として、図１０に示すように、第２の金属製角形筒２の上面に長手方向に連続する開口１１を形成したものを採用することもでき、この場合、金属製角形筒２の下面には、前記開口１１の両側縁に位置する部位に対応する位置に一対の作業用凹溝９，９が形成される。
【００３５】
その他の構成および作用効果は、第１の実施の形態におけると同様なので、説明を省略する。
【００３６】
第３の実施の形態
図１１には、本願発明の第３の実施の形態にかかる天井下地構造の要部が示されている。
【００３７】
この場合、斜め補強部材２０の下端部と金属製角形筒１との結合構造および吊りボルト３と建物の構造物（例えば、Ｈ型鋼２６）との結合構造は、第１の実施の形態におけると同様であるが、斜め補強部材２０の上端部と吊りボルト３の上端部との結合構造は、第１の実施の形態におけるものとは相異している。
【００３８】
そこで、斜め補強部材２０の上端部と吊りボルト３の上端部との結合構造について、以下に説明する。
【００３９】
この場合、斜め補強部材２０の上端部は、吊りボルト３における結合金具２３の直下位置に上部固定金具２２を介して取り付けられている。この上部固定金具２２は、図２１に示すように、前記斜め補強部材２０の上端部における相対向する二面を抱持した状態で取り付けられた一対の抱持片２２ａ，２２ａの上端に一体に形成されたＬ字状連結片２２ｈ，２２ｈを備えた取付手段２２Ａと、前記吊りボルト３の上端部（例えば、結合金具２３の直下位置）において該吊りボルト３を挟持するようにボルト２２ｒ，２２ｒを用いて固定された２枚の板状部材２２ｓ，２２ｓとからなる結合手段２２Ｂとによって構成されており、該結合手段２２Ｂを構成する板状部材２２ｓ，２２ｓの一端側において、該板状部材２２ｓ，２２ｓの間に前記取付手段２２Ａを構成するＬ字状連結片２２ｈ，２２ｈを前記ボルト２２ｒ，２２ｒの一つを用いて挟持固定することとなっている。なお、前記板状部材２２ｓ，２２ｓにおいて、前記吊りボルト３を挟持する位置には、吊りボルト３のネジ部が食い込む多数の溝を有する溝形成部を形成すると、板状部材２２ｓ，２２ｓにおける溝形成部に吊りボルト３のネジ部が食い込むこととなって、板状部材２２ｓ，２２ｓが滑り落ちることがなくなり、結合手段２２Ｂの取付状態が安定することとなる。その他の構成および作用効果は、第１および第２の実施の形態におけると同様なので、説明を省略する。
【００４０】
第４の実施の形態
図１２および図１３には、本願発明の第４の実施の形態にかかる天井下地構造における金属製角形筒１と直交する部材（即ち、後述する金属製部材２）が示されている。
【００４１】
この場合、図１２および図１３（イ）に示すように、金属製角形筒１と直交する部材として、金属製角形筒に代えて断面Ｕ字状の金属製部材２が採用されている。そして、金属製部材２の開口縁２ａにおける長手方向両端には、前記金属製角形筒１，１・・に結合するための止着子７の取付作業を行うための作業用リブ１５，１５が外向きに一体に形成されている。
【００４２】
このように構成したことにより、金属製角形筒１と金属製部材２とを結合するに際して、作業用リブ１５，１５を介して止着子７を取り付けることができることとなり、止着子７の長さを短かくできる。しかも、作業用リブ１５を介して止着子７を取り付けることが可能となるので、金属製角形筒１と金属製部材２との直交部分にずれが生じたとしても、止着子７の取付位置を対応させることが可能となり、作業性が良好となる。また、金属製部材２における下面側には、天井仕上げボードが取り付けられることとなるが、その際、金属製部材２における天井仕上げボード取付面側に止着子７の頭が露出することがなくなるところから、天井仕上げボードの取付作業性が良好となる。
【００４３】
ところで、図１３（ロ）には、前記金属製部材２の変形例が示されており、この場合、各作業用リブ１５の端部には、下向きの補強用リブ１５ａが一体に形成されている。このようにすると、金属製部材２の剛性が強化されることとなる。
【００４４】
その他の構成および作用効果は、第１および第２の実施の形態におけると同様なので、説明を省略する。
【００４５】
なお、本実施の形態にかかる天井下地構造においては、吊りボルト３は第１の金属製角形筒１，１・・のうちの選ばれたものを吊り下げるように構成されているが、第２の金属製角形筒２，２・・のうちの選ばれたものあるいは金属製部材２，２・・のうちの選ばれたものを吊りボルト３を用いて吊り下げるように構成する場合もある。また、本実施の形態にかかる天井下地構造においては、斜め補強部材２０は、第１の金属製角形筒１，１・・のうちの選ばれたものと建物の構造物（例えば、Ｈ型鋼２６）を連結するようにしているが、第２の金属製角形筒２，２・・のうちの選ばれたものあるいは金属製部材２，２・・のうちの選ばれたものと建物の構造物（例えば、Ｈ型鋼２６）とを斜め補強部材２０で連結する場合もある。
【００４６】
また、本願発明は、上記各実施の形態において説明したものに限定されるものではなく、発明の要旨を逸脱しない範囲において適宜設計変更可能なことは勿論である。
【符号の説明】
【００４７】
１は第１の金属製角形筒 
２は第２の金属製角形筒および金属製部材
３は吊りボルト 
７は止着子（ビス）
８は作業用開口
９は作業用凹溝
１５は作業用リブ
２０は斜め補強部材
２６は建物の構造物（Ｈ型鋼）
【図１】
2013068066.tif 000003
【図２】
2013068066.tif 000004
【図３】
2013068066.tif 000005
【図４】
2013068066.tif 000006
【図５】
2013068066.tif 000007
【図６】
2013068066.tif 000008
【図７】
2013068066.tif 000009
【図８】
2013068066.tif 000010
【図９】
2013068066.tif 000011
【図１０】
2013068066.tif 000012
【図１１】
2013068066.tif 000013
【図１２】
2013068066.tif 000014
【図１３】
2013068066.tif 000015